(57)【要約】【課題】高温での入浴を行う場合でも、入浴者の体の負担を軽減し、入浴を快適に行うことが可能な浴室システムを提供する。【解決手段】浴室システムは、給湯装置３、操作装置５、浴室乾燥装置６、入浴状態センサ１０，１１及び制御装置１２を備える。浴室乾燥装置６は浴室１の天井部１Ａに配置し、浴室乾燥装置６には入浴状態センサ１０を設ける。操作装置５は浴室１の側面部に配置し、操作装置５には入浴状態センサ１１を設ける。入浴状態センサ１０，１１は、浴槽２内の温水から入浴者の体に吸収される熱量に関係するパラメータとして、実際の入浴動作の有無、入浴者の心拍数、皮膚温度等を検出する。制御装置１２は、浴室乾燥装置６を制御することにより入浴者の体温を抑制する体温上昇抑制制御の実行機能を有し、入浴状態センサ１０，１１により検出されたパラメータに基いて体温上昇抑制制御を実行する。【選択図】図１
2015039598.tif 000002
【特許請求の範囲】
【請求項１】
浴室内に配置された浴槽に給湯する給湯装置と、
前記浴室内に送風する浴室乾燥装置と、
前記浴室内に配置され、前記浴槽内の温水から入浴者の体に吸収される熱量に関係するパラメータを検出する入浴状態センサと、
前記浴室乾燥装置を制御することにより入浴者の体温を抑制する体温上昇抑制制御の実行機能を有し、前記入浴状態センサにより検出されたパラメータに基いて前記体温上昇抑制制御を実行する制御手段と、
を備えた浴室システム。
【請求項２】
前記給湯装置を操作するための操作装置を備え、
前記浴室乾燥装置は前記浴室の天井部に配置し、
前記入浴状態センサは、前記浴室乾燥装置と前記操作装置のうち少なくとも一方に設けてなる請求項１に記載の浴室システム。
【請求項３】
前記制御手段は、前記浴槽に給湯される温水の温度が予め設定された高温判定値以上である場合に、入浴者が前記浴槽への入浴を開始した時点で前記体温上昇抑制制御を開始する構成としてなる請求項１または２に記載の浴室システム。
【請求項４】
前記入浴状態センサは、入浴者の心拍数を前記パラメータとして検出し、
前記制御手段は、入浴者の心拍数が予め設定された心拍数判定値以上に増加した場合に、前記体温上昇抑制制御を開始する構成としてなる請求項１乃至３のうち何れか１項に記載の浴室システム。
【請求項５】
前記入浴状態センサは、入浴者の皮膚温度を前記パラメータとして検出し、
前記制御手段は、入浴者の皮膚温度が入浴開始時の皮膚温度に対して予め設定された温度上昇判定値以上高くなった場合に、前記体温上昇抑制制御を開始する構成としてなる請求項１乃至４のうち何れか１項に記載の浴室システム。
【請求項６】
前記浴室乾燥装置は、前記体温上昇抑制制御の実行中に入浴者の上半身に向けて送風する構成としてなる請求項１乃至５のうち何れか１項に記載の浴室システム。
【請求項７】
前記体温上昇抑制制御の実行時には、当該制御の非実行時と比較して、前記浴室乾燥装置により送風される風の量を増加させるか、または、前記風の温度を低下させる構成としてなる請求項１乃至６のうち何れか１項に記載の浴室システム。
【請求項８】
前記浴室乾燥装置は、
前記浴室内に向けて風を発生させる送風ファンと、
前記送風ファンにより発生された風の向きを変更するために前記風の吹出口に並べて設けられ、個別に揺動することにより前記風を複数の方向に分けて送風する複数の風向変更板と、
を備えてなる請求項１乃至７のうち何れか１項に記載の浴室システム。
【請求項９】
前記複数の風向変更板は、予め設定された揺動軸線に沿って直線状に配置し、当該揺動軸線を中心として個別に揺動する構成としてなる請求項８に記載の浴室システム。
【請求項１０】
前記送風ファンの回転数は、複数の正弦波を合成した周波数で変化させる構成としてなる請求項８または９に記載の浴室システム。
【請求項１１】
前記周波数は、１Ｈｚ以下に設定された基本周波数の中に１０Ｈｚ以上の高周波成分を含む構成としてなる請求項１０に記載の浴室システム。
【発明の詳細な説明】
【技術分野】
【０００１】
本発明は、浴槽に給湯するための給湯装置を備えた浴室システムに関する。
【背景技術】
【０００２】
従来技術として、例えば特許文献１に記載されているように、冬季等の低温状況下で浴槽の湯張りを行うときに、外気温に合わせて浴室乾燥装置を運転する制御が知られている。この制御では、入浴前に浴室の暖房を予め実行しておき、入浴時の快適性を高めるようにしている。また、他の従来技術として、特許文献２に記載されているように、頭部に向けて送風可能な送風機を浴槽に設ける構成が知られている。この構成では、湯温に応じて送風機を作動させ、入浴中にのぼせるのを防止するようにしている。
【先行技術文献】
【特許文献】
【０００３】
【特許文献１】特許第４００８８４２号公報
【特許文献２】特開２００３−１９０８２号公報
【発明の概要】
【発明が解決しようとする課題】
【０００４】
しかしながら、上述した特許文献１，２の従来技術においても、入浴者の快適性を十分に確保できない場合がある。具体例を挙げると、例えば体を早く温めたい入浴者等は、浴室に入って浴槽にすぐに浸かり、高温で入浴を行う場合が多いものの、高温での入浴は長い時間にわたって継続するのが難しいという問題がある。これは、高温での入浴により血管が急激に拡張して体内への湯熱の流入量が増加し、発汗及び心拍数の増加により入浴者に不快感が生じるためである。これに対し、長時間の入浴を行う場合には、例えば３７〜３８℃程度の低温で入浴することが推奨される。しかし、低温での入浴時は、体が温まるまでの時間がかかるので、ユーザに受け入れられないことが多い。また、低温の入浴でも長時間継続すると、のぼせることがある。
【０００５】
本発明は、上述のような課題を解決するためになされたもので、高温での入浴を行う場合でも、入浴者の体の負担を軽減し、入浴を長時間にわたって快適に行うことが可能な浴室システムを提供することを目的とする。
【課題を解決するための手段】
【０００６】
本発明に係る浴室システムは、浴室内に配置された浴槽に給湯する給湯装置と、浴室内に送風する浴室乾燥装置と、浴室内に配置され、浴槽内の温水から入浴者の体に吸収される熱量に関係するパラメータを検出する入浴状態センサと、浴室乾燥装置を制御することにより入浴者の体温を抑制する体温上昇抑制制御の実行機能を有し、入浴状態センサにより検出されたパラメータに基いて体温上昇抑制制御を実行する制御手段と、を備えている。
【発明の効果】
【０００７】
本発明によれば、制御手段は、浴槽水から入浴者の体に吸収される熱量に関係するパラメータを入浴状態センサにより検出し、検出したパラメータに基いて体温上昇抑制制御を実行することができる。これにより、入浴者の体を適度に冷やし、入浴中ののぼせを抑制することができる。従って、高温での入浴を行う場合でも、体の負担を軽減し、入浴を長時間にわたって快適に行うことができる。
【図面の簡単な説明】
【０００８】
【図１】本発明の実施の形態１による浴室システムを示す全体構成図である。
【図２】浴室乾燥装置を拡大して示す図１中の要部拡大図である。
【図３】浴室乾燥装置を図２中の矢示Ｘ方向からみた側面図である。
【図４】本発明の実施の形態１において、浴室システムの制御の一例を示すフローチャートである。
【図５】本発明の実施の形態１において、送風ファンの回転数を時間的に変化させるためのデータマップの一例を示す特性線図である。
【図６】送風ファンの回転数を図５に示すように変化させた場合において、浴室乾燥装置の吹出口から吹き出す冷却風の風速の一例を示す特性線図である。
【発明を実施するための形態】
【０００９】
実施の形態１．
以下、図１乃至図６を参照して、本発明の実施の形態１について説明する。なお、本明細書で使用する各図においては、共通する要素に同一の符号を付し、重複する説明を省略するものとする。図１は、本発明の実施の形態１による浴室システムを示す全体構成図である。この図に示すように、浴室１内には、入浴するための浴槽２が設けられており、浴槽２の上方は、浴室１の天井部１Ａにより覆われている。また、浴室システムは、給湯装置３、操作装置５、浴室乾燥装置６、入浴状態センサ１０，１１及び制御装置１２を備えている。
【００１０】
給湯装置３は、例えばヒートポンプユニット、電気式の加熱温水器等により構成され、追焚き配管４を介して浴槽２と接続されている。追焚き配管４は、浴槽２と給湯装置３の間に浴槽水を循環させるものである。給湯装置３は、浴槽２から追焚き配管４を介して導入される低温の浴槽水を、例えばユーザにより設定された所望の温度まで加熱する。そして、加熱した温水、または加熱後に給湯装置３内に貯留しておいた温水を、追焚き配管４を介して浴槽２に供給するものである。
【００１１】
操作装置５は、入浴者が浴室１内から給湯装置３を操作するためのもので、例えば浴室１内の側面部に取付けられると共に、信号線等を介して給湯装置３と接続されている。操作装置５は、給湯装置３の作動状態を表示する表示部５Ａと、給湯装置３を操作するボタン等の操作部５Ｂとを備えている。また、操作装置５には、後述のセンサ１１が設けられている。
【００１２】
浴室乾燥装置６は、浴室１内に風を送風するもので、図１乃至図３に示すように、例えば浴室１の天井部１Ａに設けられている。ここで、図２は、浴室乾燥装置を拡大して示す図１中の要部拡大図であり、図３は、浴室乾燥装置を図２中の矢示Ｘ方向からみた側面図である。これらの図に示すように、浴室乾燥装置６は、送風ファン７、吹出口８及び複数の風向変更板９Ａ，９Ｂを備えている。なお、以下の説明では、送風ファン７により発生される風を「冷却風」と表記する。また、２個の風向変更板９Ａ，９Ｂは、まとめて風向変更板９と表記する場合がある。
【００１３】
送風ファン７は、モータ等により駆動されて冷却風を発生するもので、浴室１の天井部１Ａに設置されている。浴室１の天井部１Ａには、冷却風の吹出口８が設けられており、送風ファン７により発生された冷却風は、吹出口８を経由して浴室１内に吹き出すように構成されている。また、吹出口８には、冷却風の向きを変更するために複数の風向変更板９Ａ，９Ｂが設けられている。これらの風向変更板９Ａ，９Ｂは、図３に示すように、吹出口８の開口範囲内において、予め設定された揺動軸線Ｌに沿って直線状に並べられている。そして、風向変更板９Ａ，９Ｂは、図２に示すように、揺動軸線Ｌを中心として個別に揺動することにより、冷却風を複数の方向に分けて送風するように構成されている。なお、本実施の形態では、風向変更板９として、２個の風向変更板９Ａ，９Ｂを例示したが、本発明はこれに限らず、３個以上の風向変更板９を用いてもよい。
【００１４】
次に、浴室システムの制御系統について説明する。本実施の形態の浴室システムは、例えば２個の入浴状態センサ１０，１１を備えている。入浴状態センサ１０，１１は、浴槽２内の温水から入浴者の体に吸収される熱量に関係するパラメータを検出するものである。具体例を挙げると、入浴状態センサ１０，１１は、例えば入浴者が浴槽２内に存在しているか否か、即ち、入浴者が実際に入浴しているか否かを検出する人感センサと、浴槽２内の入浴者の心拍数、皮膚温度等を検出する各種のセンサのうち、少なくとも１種類のセンサにより構成されている。これらの具体例において、実際の入浴動作の有無、入浴者の心拍数、皮膚温度等は、上記パラメータに相当している。なお、本発明では、入浴状態センサ１０の出力に基いて浴室乾燥装置６を制御し、入浴状態センサ１１の出力に基いて給湯装置３を制御する構成としてもよい。
【００１５】
また、一方の入浴状態センサ１０は、例えば浴室１内で天井部１Ａまたは浴室乾燥装置６に配置され、他方の入浴状態センサ１１は、浴室１の側面部または操作装置５に配置されている。なお、図１は、入浴状態センサ１０，１１をそれぞれ浴室乾燥装置６、操作装置５に設けた場合を例示したものであるが、本発明では、入浴状態センサを、これらの装置５，６以外の場所に設置してもよい。
【００１６】
制御装置１２は、浴室システムを制御する制御手段であり、演算処理装置と記憶回路とを有するマイクロコンピュータ等により構成されている。制御装置１２には、上記入浴状態センサ１０，１１を含むセンサ系統、給湯装置３、操作装置５、浴室乾燥装置６等が接続されている。浴室乾燥装置６においては、送風ファン７を駆動するモータと、風向変更板９Ａ，９Ｂを個別に揺動させる２個のアクチュエータとがそれぞれ制御装置１２に接続されている。
【００１７】
これにより、制御装置１２は、送風ファン７のモータを駆動して冷却風を発生させつつ、モータの回転数を制御して冷却風の強さ（風量）を調整する。また、制御装置１２は、前記アクチュエータを駆動して風向変更板９Ａ，９Ｂをそれぞれ異なる角度に揺動させることにより、複数の方向に向けて冷却風を送風する。なお、制御装置１２は、給湯装置３、操作装置５または浴室乾燥装置６の制御回路等と一体化したり、これらの装置３，５，６に内蔵する構成としてもよい。
【００１８】
また、制御装置１２は、浴室乾燥装置６を制御することにより入浴者の体温を抑制する体温上昇抑制制御の実行機能を有している。体温上昇抑制制御は、例えば入浴状態センサ１０により検出されたパラメータに基いて実行される。以下、体温上昇抑制制御の具体例について説明する。図４は、本発明の実施の形態１において、浴室システムの制御の一例を示すフローチャートである。この図に示すルーチンは、例えば浴室１の使用中に繰返し実行されるものとする。
【００１９】
図４に示すルーチンにおいて、まず、ステップＳ１では、浴槽２に給湯される温水の温度が予め設定された高温判定値以上であるか否かを判定する。高温判定値は、例えば入浴者の体温を抑制する必要が生じるような湯温の下限値として設定されるものである。なお、ステップＳ１では、高温判定値を４２℃に設定した場合を例示している。また、浴槽２に給湯される温水の温度は、図示しない温度センサ等により検出される。
【００２０】
ステップＳ１の判定が成立した場合には、浴槽水が高温であるために入浴者の体温が上昇し易いので、まず、入浴状態センサ１０，１１の何れかにより入浴者が浴槽２への入浴を開始したか否かを検出する。そして、浴槽２への入浴が開始された時点で、ステップＳ２に移行し、体温上昇抑制制御を開始する。体温上昇抑制制御では、浴室乾燥装置６の送風ファン７を駆動しつつ、風向変更板９Ａ，９Ｂの角度を調整することにより、浴槽２に浸かっている入浴者の上半身に向けて冷却風を送風する。なお、ステップＳ１の判定が成立しても、入浴が開始されていない場合には、入浴が開始されるまで待機した後に、ステップＳ２を実行する。
【００２１】
上記ステップＳ１〜Ｓ２の制御によれば、浴槽水の温度が高い場合には、高温の浴槽水に浸かった入浴者の上半身を入浴初期の段階から速やかに冷却することができる。これにより、浴室乾燥装置６の冷却風を用いて入浴者の体温を効率よく抑制し、入浴者がのぼせるのを回避することができる。
【００２２】
一方、ステップＳ１の判定が不成立の場合には、浴槽水がそれほど高温ではないので、ステップＳ３に移行し、浴槽２内の温水から入浴者の体に吸収される熱量に関係するパラメータを検出する。具体的に述べると、ステップＳ３では、入浴状態センサ１０，１１により入浴者の心拍数及び皮膚温度を検出する。そして、ステップＳ４では、心拍数及び皮膚温度の検出値に基いて、下記（１），（２）の判定処理を実行する。
【００２３】
（１）皮膚温度の検出値が入浴開始時の皮膚温度に対して予め設定された温度上昇判定値以上高くなったか？
（２）心拍数の検出値が予め設定された心拍数判定値以上に増加したか？
【００２４】
ここで、温度上昇判定値は、例えば体温上昇抑制制御を実行する必要があるような皮膚温度の大きな上昇量に対応して設定されるもので、ステップＳ４では、温度上昇判定値を１℃に設定した場合を例示している。また、入浴開始時の皮膚温度は、入浴状態センサ１０，１１により入浴の開始が検出された時点で取得され、制御装置１２に記憶される。一方、心拍数判定値は、例えば体温上昇抑制制御を実行する必要があるような高い心拍数に対応して設定されるもので、ステップＳ４では、心拍数判定値を１００ｂｐｍに設定した場合を例示している。
【００２５】
ステップＳ４では、上記判定処理（１），（２）の少なくとも一方が成立するか否かを判定する。そして、ステップＳ４の判定が成立した場合には、浴槽水から入浴者の体に吸収された熱量が多く、入浴者の皮膚温度（体温）または心拍数が大きく上昇していると判断される。そこで、この場合には、ステップＳ５に移行することにより、前記ステップＳ２と同様に体温上昇抑制制御を開始し、その後にステップＳ３に戻る。一方、ステップＳ４の判定が不成立の場合、即ち、上記判定処理（１），（２）の両方が不成立の場合には、ステップＳ３に移行し、入浴者の皮膚温度及び心拍数の監視を継続する。
【００２６】
上記ステップＳ３〜Ｓ５の制御によれば、入浴者の体温と心拍数のうち少なくとも一方が大きく上昇している場合には、入浴者がのぼせ易い状況であると判断し、体温上昇抑制制御を開始することができる。従って、のぼせが発生し易い状況を的確に検出し、入浴者の体温を効率よく抑制することができる。
【００２７】
なお、図４に示す制御では、入浴者の皮膚温度と心拍数の両方に基いて、体温上昇抑制制御の実行を判定する場合を例示した。しかし、本発明はこれに限らず、皮膚温度と心拍数の何れか一方のみに基いて、体温上昇抑制制御を実行するか否かを判定してもよい。また、本実施の形態では、浴槽水から入浴者の体に吸収される熱量に関係するパラメータとして、入浴者の皮膚温度と、心拍数とを例示した。しかし、本発明はこれに限らず、例えば入浴者が浴槽２に浸かってから経過した入浴時間等のような他のパラメータを用いてもよい。
【００２８】
また、本実施の形態では、体温上昇抑制制御の実行時に浴室乾燥装置６を作動させる場合を例に挙げて説明した。しかし、本発明はこれに限らず、体温上昇抑制制御の実行時には、当該制御の非実行時と比較して、浴室乾燥装置６により送風される冷却風の風量を増加させるか、または、冷却風の温度を低下させる構成としてもよい。これらの構成は、例えば送風ファン７の回転数を増加させたり、浴室乾燥装置６に熱交換器等を搭載して冷房機能をもたせることにより実現することができる。そして、これらの構成によれば、浴室乾燥装置６により入浴者の体温を更に効率よく低下させることができる。
【００２９】
（回転数可変制御）
また、体温上昇抑制制御の実行時には、送風ファン７の回転数を変化させる回転数可変制御を実行してもよい。以下、制御装置１２により実行される回転数可変制御の具体例について説明する。制御装置１２には、送風ファン７のモータの回転数を設定するための時系列データがデータマップとして予め記憶されている。図５は、本発明の実施の形態１において、送風ファンの回転数を時間的に変化させるためのデータマップの一例を示す特性線図である。
【００３０】
回転数可変制御では、制御装置１２により前記データマップから回転数を読出して指令信号（電圧）に変換し、この指令信号を送風ファン７のモータに入力する。これにより、図５に示すように、送風ファン７を所望の回転数で駆動しつつ、当該回転数を連続的に変化させることができる。ここで、送風ファン７の回転数は、例えば不規則な複数の正弦波を合成した周波数で変化させるのが好ましい。また、この周波数は、１Ｈｚ以下に設定された基本周波数の中に、１０Ｈｚ以上の高周波成分を含むように設定するのが好ましい。
【００３１】
図６は、送風ファンの回転数を図５に示すように変化させた場合において、浴室乾燥装置の吹出口から吹き出す冷却風の風速を示す特性線図である。なお、図６は、吹出口８から２．５ｍ離れた位置での風速を例示したものである。一般に、自然に発生する風は、１Ｈｚ以下の緩やかな周波数での風速変化の中に、１分間に１０〜２０回程度の高周波での風速変化を含むことが多い。自然の風には、時折発生する急速な風、及び全身で感じられる気流等が含まれている。
【００３２】
これに対し、図６に示す風速の変化は、自然の風に近い冷却風を再現していることがわかる。従って、上記の回転数可変制御によれば、自然の風に近い冷却風により入浴者の体を冷やし、入浴時の快適性を向上させることができる。ただし、本発明では、体温上昇抑制制御の実行時において、必ずしも回転数可変制御を併用する必要はなく、体温上昇抑制制御のみを実行する構成でもよい。
【００３３】
また、回転数可変制御によっても、時折発生する急速な風、及び全身で感じられる気流等は、安定的に実現するのが難しいことがある。即ち、送風ファン７に対する指令信号を急激に変化させても、送風ファン７の実際の回転数は、指令信号に追従して急激に増加するわけではないので、急速な風を実現するのは難しい。また、送風ファン７の回転数を急激に増加させると、回転音等の騒音が大きくなり、入浴者に不快感を与える虞れがある。
【００３４】
（風向可変制御）
このため、本実施の形態では、例えば２個の風向変更板９Ａ，９Ｂを浴室乾燥装置６に設け、これらの風向変更板９Ａ，９Ｂの揺動角をアクチュエータにより制御することで、風向可変制御を実行する。風向可変制御では、送風ファン７により発生した冷却風を風向変更板９Ａ，９Ｂにより２つの方向に分けて送風しつつ、個々の冷却風の向きを時間的に変化させる。なお、本発明において、風向可変制御は、必ずしも体温上昇抑制制御と併用する必要はなく、体温上昇抑制制御のみを実行してもよい。また、風向可変制御は、回転数可変制御と併用するか、または、回転数可変制御に代えて実行するものとしてもよい。
【００３５】
これにより、風向可変制御では、風向変更板９Ａ，９Ｂを図３中の左，右の位置で個別に前後方向（紙面と垂直な方向）に揺動させ、送風ファン７により発生した冷却風を左，右及び前，後に吹き分けることができる。このため、送風ファン７の回転数を変化させなくても、入浴者に当る冷却風の風量を時間的に大きく変化させ、冷却風に強弱をつけることができ、自然に近い気流を入浴者の周囲に生成することができる。
【００３６】
従って、風向可変制御によれば、冷却風がランダムに一瞬だけ強く吹き付ける状態と、入浴者が全身で冷却風を感じる状態とを作りだすことができる。この結果、入浴者が強い風を浴び続けて不快感を抱いたり、乾燥が必要以上に促進されるのを防止することができる。また、自然の風に近い冷却風を受けることができるので、入浴中に心地よい冷感を得ることができ、快適性を向上させることができる。
【００３７】
また、２個の風向変更板９Ａ，９Ｂは、揺動軸線Ｌに沿って直線状に配置し、当該揺動軸線を中心として個別に揺動する構成としたので、一方の風向変更板９Ａにより送風される冷却風と、他方の風向変更板９Ａにより送風される冷却風とが衝突して風の向きに乱れが生じるのを防止することができる。また、２個の風向変更板９Ａ，９Ｂにより冷却風を広い範囲に吹き分けることができる。
【００３８】
以上、詳述した通り、本実施の形態によれば、制御装置１２は、浴槽水から入浴者の体に吸収される熱量に関係するパラメータを入浴状態センサ１０，１１により検出し、検出したパラメータに基いて体温上昇抑制制御を実行することができる。これにより、入浴者の体を適度に冷やし、入浴中ののぼせを抑制することができる。従って、高温での入浴を行う場合でも、体の負担を軽減し、入浴を長時間にわたって快適に行うことができる。
【００３９】
また、浴室１の天井部１Ａに配置された浴室乾燥装置６に第１の入浴状態センサ１０を設け、浴室１の側面部に配置された操作装置５に第２の入浴状態センサ１１を設けたので、これら２個の入浴状態センサ１０，１１により入浴者の状態を異なる位置及び角度から検出することができる。これにより、検出精度を高め、体温上昇抑制制御を安定的に実行することができる。なお、本発明では、入浴状態センサ１０，１１のうち何れか一方のセンサのみを採用し、他方のセンサは設置しない構成としてもよい。
【００４０】
また、本実施の形態では、図４に示すフローチャートにおいて、４２℃、１℃、１００ｂｐｍ等の具体値を記載した。しかし、本発明は、これらの具体値を必要に応じて任意の値に設定すればよいもので、これらの具体値に限定されるものではない。
【符号の説明】
【００４１】
１  浴室，１Ａ  天井部，２  浴槽，３  給湯装置，４  追焚き配管，５  操作装置，５Ａ  表示部，５Ｂ  操作部，６  浴室乾燥装置，７  送風ファン，８  吹出口，９（９Ａ，９Ｂ  風向変更板），１０，１１  入浴状態センサ，１２  制御装置（制御手段）
【図１】
2015039598.tif 000003
【図２】
2015039598.tif 000004
【図３】
2015039598.tif 000005
【図４】
2015039598.tif 000006
【図５】
2015039598.tif 000007
【図６】
2015039598.tif 000008